(57)【特許請求の範囲】
【請求項１】
様々な形状の物体の３Ｄ測定を行う測定システムであって、少なくとも１つのセンサーと、少なくとも１つの測定源と、交換可能な測定チャンバーとを有するハンドヘルドデバイスを備え、前記交換可能な測定チャンバーは前記ハンドヘルドデバイスに接続され、前記測定チャンバーは、一方の側で前記測定される物体上に適合し、他方の側で前記ハンドヘルドデバイスの測定ヘッドに適合する垂直面からなり、前記測定チャンバーは、前記測定ヘッドと相互作用して、前記ハンドヘルドデバイスが該測定チャンバーの寸法を認識し、前記測定パラメーターを設定するのを可能にする、寸法に応じた認識点を有する、様々な形状の物体の３Ｄ測定を行う測定システム。
【請求項２】
前記センサーはカメラ又は超音波振動子である、請求項１に記載の測定システム。
【請求項３】
前記測定源は、プロジェクター、非イオン化レーザー、マイクロ波源又はＲＦ波源からなる群から選択される、請求項１に記載の測定システム。
【請求項４】
前記ハンドヘルドデバイスは２つのカメラ及び１つのプロジェクターを有し、前記３Ｄ測定は立体視に基づく、請求項１に記載の測定システム。
【請求項５】
前記ハンドヘルドデバイスは以下の構成要素、プロセッサモジュール、ユーザーインターフェース、電源及びデータ通信インターフェースのうちの１つ若しくは複数、又は全てを有する、請求項１〜４のいずれか１項に記載の測定システム。
【請求項６】
前記交換可能な測定チャンバーの内部寸法によって、変動する非幾何学的体積を有する物体を覆うことが可能になる、請求項１〜５のいずれか１項に記載の測定システム。
【請求項７】
請求項１〜６のいずれか１項に記載の測定システムであって、該測定システムによって、前記交換可能な測定チャンバーの内部寸法は、長さ及び幅が約１５０ｍｍで約２００ｍｍの高さとなり、又は約５０ｍｍの長さ及び幅並びに約１００ｍｍの高さとなり、又はさらに、約３０ｍｍの長さ及び幅並びに約５０ｍｍの高さとなる、請求項１〜６のいずれか１項に記載の測定システム。
【請求項８】
前記交換可能な測定チャンバーは、前記ハンドヘルドデバイスの測定ヘッドと連結するようにグリップを有する、請求項１に記載の測定システム。
【請求項９】
前記交換可能な測定チャンバーの前記グリップは、ねじ式連結部、差し込みロック、クリック固定、磁気結合からなる群から選択される、請求項８に記載の測定システム。
【請求項１０】
前記交換可能な測定チャンバーは該チャンバーの基部において最大で約１５０ｍｍの直径、及び最大で約２００ｍｍの高さを有する、請求項８に記載の測定システム。
【請求項１１】
前記交換可能な測定チャンバーの内壁は、前記測定チャンバーの１つ又は複数の内面上に水平にリブ形成されたパネルにより、光反射がないようにレイアウトされる、請求項１〜１０のいずれか１項に記載の測定システム。
【請求項１２】
前記交換可能な測定チャンバーの垂直面のうちの少なくとも１つが、前記測定される物体の上に位置決めされたときに前記チャンバー内を見ることを可能にする、請求項１〜１１のいずれか１項に記載の測定システム。
【請求項１３】
前記交換可能な測定チャンバーの前記垂直面のうちの少なくとも１つは透明であるか又は開放されている、請求項１２に記載の測定システム。
【請求項１４】
測定分解能は約０．５ｍｍ〜０．０１ｍｍである、請求項１〜１３のいずれか１項に記載の測定システム。
【請求項１５】
プロセッサモジュールは、ユーザーインターフェース、画像記録、投影、電源及び通信インターフェースのアプリケーションコードを含む、請求項１〜１４のいずれか１項に記載の測定システム。
【請求項１６】
通信インターフェースは、プロセッサモジュールによって生成されたデータの更なる画像処理向けのソフトウェアを有するコンピューター若しくはパネルＰＣをもつ基地局に接続される、請求項１〜１４のいずれか１項に記載の測定システム。
【請求項１７】
前記基地局における前記ソフトウェアは、以下の動作である、３Ｄ点の計算、曲面あてはめ、３Ｄフィルタリング、本体形状（複数の場合もある）の認識及び除去、測定値の記憶及び管理向けのデータベース、インストール及び更新サポート、並びにユーザーインターフェースの生成のうちの１つ又は複数又は全てを実行することができる、請求項１６に記載の測定システム。
【請求項１８】
電源は、１つ又は複数の交換可能で装填可能な電池からなる、請求項１〜１７のいずれか１項に記載の測定システム。
【請求項１９】
１つ又は複数の交換可能で装填可能な電池からなる電源が、統合されているか又は分離した電池装填ステーションを有する、請求項１８に記載の測定システム。
【請求項２０】
様々な形状の物体を３Ｄ測定する請求項１に記載の測定システムであって、
交換可能な測定チャンバーと、少なくとも１つのカメラと、１つのプロジェクターとを有するハンドヘルドデバイスであって、前記プロジェクターは測定される前記物体上に認識可能な標識を投影し、前記カメラは測定される前記物体の１つ又は複数の画像を捕捉し、これを第１の処理後に基地局に送信する、ハンドヘルドデバイスと、
基地局であって、ユーザーインターフェースと、前記測定物体の体積に対し前記ハンドヘルドデバイスからの前記画像を更に処理するのに必要なソフトウェアと、出力デバイスと、を有する基地局と、
又は、
様々な形状の物体を３Ｄ測定する請求項１に記載の測定システムであって、
交換可能な測定チャンバーと、少なくとも１つのカメラと、１つのプロジェクターとを有するハンドヘルドデバイスであって、前記プロジェクターは測定される前記物体上に認識可能な標識を投影し、前記カメラは測定される前記物体の１つ又は複数の画像を捕捉し、これを第１の処理後に基地局に送信する、ハンドヘルドデバイスと、
基地局であって、ユーザーインターフェースと、前記測定物体の体積に対し前記ハンドヘルドデバイスからの前記画像を更に処理するのに必要なソフトウェアと、出力デバイスと、該基地局に対するハンドヘルドデバイスのドッキングステーション及び装填ステーションとを有する基地局と、
を備える、様々な形状の物体を３Ｄ測定する測定システム。
【請求項２１】
試験動物における皮下がん腫瘍の測定のために請求項１による測定システムの使用。
【発明の詳細な説明】
【技術分野】
【０００１】
本発明は、様々な形状の物体の、面及び体積を含む寸法を計算する測定システムに関する。特に、本発明は、マウスの皮下腫瘍の３Ｄ測定に最適な小型の３Ｄ測定機器に関する。そして、本発明の主要な目的はまた、様々な形状の物体の３Ｄ測定を行う測定システムからなる。この測定システムは、以後、センサーとも呼ばれる少なくとも１つの画像捕捉デバイスと、少なくとも１つの測定源、特にプロジェクターと、測定チャンバーとを有するハンドヘルドデバイスを含む。より具体的な実施態様では、ハンドヘルドデバイスは１つ又は２つの、特に２つのカメラと１つのプロジェクターとを有し、３Ｄ測定は立体視に基づく。
【０００２】
また、測定システムに関する本発明の目的は、上記ハンドヘルドデバイスが、プロセッサモジュール、ユーザーインターフェース、電源及びデータ通信インターフェース、並びに交換可能な測定チャンバーも有することを確実にし、それにより必要な柔軟性及び自律性をデバイスに与えて、測定手順を高速化するとともに測定の再現性を大幅に改善することである。
【背景技術】
【０００３】
様々な製品は、がん根絶に向けた新たな標的の機能同定後、標的に対するその製品の選択性に基づいて選択された標的に焦点をあてる。次に、候補薬の作用、効能、並びに安全性プロファイル及び毒性プロファイルを広範なスクリーニングプロセスにおいて比較しなくてはならない。このスクリーニングプロセスが前臨床動物モデルにおいて実行された後、製品に対する臨床試験が開始することができる。高スループットのスクリーニングモデルが存在しないことに起因して、動物実験に必要な時間は多くの場合に、有望ながんの薬の開発における主な問題である。
【０００４】
腫瘍の大きさは、ほとんどの前臨床活性研究における主要な焦点である。このため、効能及び腫瘍の正確な測定値は、新たな候補薬の迅速な評価に重要である。これらのｉｎ  ｖｉｖｏ研究の大部分はマウスにおいて行われ、これによって、皮下腫瘍又は同所性腫瘍に対する試験成分の効果が研究される。免疫不全症のヌードマウスを用いた皮下腫瘍モデルが最も頻繁に用いられる。このモデルでは、腫瘍の成長は皮膚を通じて明確に視認でき、成長の単純で非侵襲的な監視を可能にする。
【０００５】
巨視的撮像に利用可能な「コンピューター断層撮影法（ＣＴ）」、「磁気共鳴画像診断法（ＭＲＩ）」及び「蛍光画像診断法（ＦＭＴ）」等の多数の進化した商用技術及び実験技術が既に存在する。しかしながら、これらの腫瘍研究法は非常にコストが高く、腫瘍成長が頻繁に監視される長期実験での使用にとって、現在の環境における使用可能性及び入手可能性が主な制限要因となっている。また多くの場合に、これらの方法を標準化することも、迅速に実行することも容易でない。このため、これらの技法は、高スループットスクリーニングシステムとして用いることができない。さらに、マウスにおいて腫瘍を測定するのに効率的に用いることができる、いわゆるラインスキャナーに基づく光学システム、例えばBiopticon社のシステム（例えば特許文献１に記載されているような実験動物における皮下腫瘍を走査する構造化光ベースのシステム）も存在する。しかしながら、これらのシステムは、ラインプロジェクターがレーザーに基づいているため、比較的高価であり大型である。これに加えて、測定表面の完全な走査には数秒かかり、この間、マウスは完全に固定されていなくてはならない。
【０００６】
この理由から、皮下腫瘍成長は多くの場合にキャリパーを用いて測定され、これによって単純で高速な測定が可能になる（図１Ａを参照）。次に、２次元水平径及び最大高さに従って腫瘍の大きさが計算される。腫瘍が成長すると、形状が理論的半楕円形状から大きく逸脱する可能性がある（図１Ｂを参照）。このため、計算される形状は、実際の腫瘍の大きさから大きく逸脱している可能性がある推定値にすぎない。再現可能な測定値を得るには集中的な訓練及び経験が必要であるのみでなく、有効な結果を得るにはより多くの動物も必要である。
【０００７】
このため、本出願により、本出願人は、皮下腫瘍の成長の正確で容易で迅速な測定を可能にする高度な技術による３Ｄ測定機器の実現ももたらす。新たな測定機器により、前臨床スクリーニングプロセスが２方面で加速される。一方で、測定は完全に自動化され、他方で、測定の変動性が最小化され、これによって前臨床実験の有効性が増大する。
【０００８】
さらに、当該技術分野において既知の３Ｄ測定システムとは異なり、本システムは、測定される物体の寸法に従って、ハンドヘルドデバイス及び交換可能な測定チャンバーを用いて非幾何学的形態を有する小さな物体を測定するように適合されている。例えば、特許文献２に記載されている３Ｄ写真撮影（photography）システムと比較して、本発明の３Ｄ測定システムは、異なる画角から同じ物体からの写真を作成する単一のカメラを可能にする投射画角調整ユニットを備えず、投射画角調整ユニットは３Ｄ立体視アルゴリズムにおいてまとめられる。本発明の３Ｄ測定システムは更に、測定される物体の上に適合する（fitting：嵌る）交換可能な（取り外し可能な）測定チャンバーが欠落している。同じことが特許文献３に記載されている３Ｄ測定装置に当てはまる。上記参考文献は、人間の頭部の写真測定用デバイスを提供するが、図から明らかなように、このシステムは交換可能な（取り外し可能な）測定チャンバーを有するハンドヘルドデバイスを備えていない。そのような交換可能な測定チャンバーが欠落している更なるシステムは、例えば、特許文献４、特許文献５、特許文献６及び特許文献７に記載されている。特許文献４、特許文献６及び特許文献７は、適用される測定方法においてインスタントデバイスと更に異なっている。特許文献４における方法は、追加の光源と、測定される物体に隣接した回帰反射型材料の存在とを更に必要とする。これは明らかに測定を更に複雑にし、上記で説明したような実験動物における皮下腫瘍の走査において適用可能でない。特許文献６に記載の方法においても、所定の体積を有する追加の基準標的が測定エリアに加えられる。ここでもまた、特許文献４に記載されている方法と同様に、これは測定を更に複雑にし、上記で説明したような実験動物における皮下腫瘍の走査において適用可能でない。特許文献７では、異なる照明を用いて２つの画像が物体から取得される。インスタントデバイスでは１つの照明のみが用いられ、これにより手順を簡略化し、デバイスの操作を容易にするよう支援する。
【先行技術文献】
【特許文献】
【０００９】
【特許文献１】米国特許第７，４５０，７８３号
【特許文献２】欧州特許出願公開第１４０８７０号
【特許文献３】米国特許第４８０５６３８号
【特許文献４】カナダ国特許第２６８６９０４号
【特許文献５】米国特許出願公開第２００７／０２２９８５０号
【特許文献６】国際公開第２００７／１２９０４７号
【特許文献７】米国特許出願公開第２００９／０２４５６０３号
【発明の概要】
【００１０】
このため、本発明の目的は、使用が単純であり、変動する非幾何学的形状を有する小さな物体、特に皮下腫瘍を測定するのに特に適した、ハンドヘルドデバイスを備える正確な３Ｄ測定システムを提供することである。
【図面の簡単な説明】
【００１１】
【図１】皮下腫瘍がキャリパーを用いて測定される（Ａ）。これらの腫瘍は様々な形状を有する（Ｂ）。
【図２】補助付き立体視原理の概略図である。
【図３】測定デバイスの側面図（Ａ）及び最も重要な構成要素の製図（Ｂ）である。
【図４】パネルＰＣを有する基地局（Ａ）及びシステムのアーキテクチャのブロック図（Ｂ）である。
【発明を実施するための形態】
【００１２】
新たな監視システムは、自動的に４つのプロセス、すなわち、１）測定される物体の表面における適切な測定源を用いた検出可能な信号（例えば、ＬＥＤ光源、ゴボパターンディスク（パターンを用いてエッチングされた金属でカバーされたガラスディスク）及びコンデンサーを用いた構造化ノイズパターン）の投影、２）１つ又は複数の互換性のあるセンサーを用いた、測定される物体によって変換される信号の記録（例えば、１つ又は２つのデジタルカメラによる、測定される物体上に投影された構造化ノイズパターンの画像記録）、３）記録された信号の処理、ここで（例えば立体視により）３Ｄ体積にデータが補間される、４）データ出力、を実行することができる。これらのプロセスを自動化する必要なハードウェア及びソフトウェアは、測定デバイスと、ユーザーインターフェース（例えばパネルＰＣからなる（図４を参照））を有する基地局とからなる機構に含まれ、オペレーターが測定を正確に実行することを可能にする。上記で既に示したように、新たな監視システムは、特に、がんについて様々な動物モデルにおける皮下腫瘍の３Ｄ測定を行うのに適している。キャリパーを用いた同様の測定は、データ処理を含めて通常数分を要する。新たな概念を用いると、これは数秒まで低減される。このようにして、オペレーターは３倍の実験を並行に実施することができる。
【００１３】
新たなデバイスは、測定手順を高速化するのみでなく、測定の分解能及び正確度を高めることによって、測定の変動性も低減する。測定の一貫性に起因して、正確な結果を得るのに上記がんモデル用に必要な動物の数が減り（測定値間の（相互）変動性が低減することに起因する）、別のオペレーターによる実験の進行を保証することができる（オペレーター間の（相互）変動性が最小化されることに起因する）。実験の継続性を保証することができるので、年あたりの研究数を１５０％増大させることができる。
【００１４】
これらの要因の全てによって、新たな測定デバイスが、皮下腫瘍成長に対する腫瘍阻害剤の効果の高スループットスクリーニングに必要な全ての要件をそろえている（compiles with）ことが確実になる。キャリパーが用いられる現行の状況では、オペレーターは２ヶ月の期間の間に平均で２つの実験を実施することができる。１年で、製品あたり約６つの実験が行われる。新たな監視システムを用いると、オペレーターは６つの実験を並行して実施し、複数人のオペレーターが協力することにより、製品あたり年ごとに平均２７個の実験を行うことができる。具体的には、これは、この独自のデバイスの発展によって、有望ながんの薬の前臨床スクリーニングプロセスを１２ヶ月高速化することができることを意味する。
【００１５】
本出願の目的は３つの部分からなる。第１の目的は、変動する非幾何学的形状を有する物体、特に皮下腫瘍の３Ｄ測定に対する画像記録技術及び電子機器の利用可能性である。この画像記録技術を決めるパラメーターは、一方では正確度（空間分解能）及び測定速度であり、他方ではデバイスの自律性及び効率性である。原理上、１つ又は複数の画像捕捉デバイス（センサー）及び測定源に基づく任意の３Ｄ測定法を用いることができる。任意の３Ｄ測定法には、３Ｄ立体視、ハイパースペクトル撮像、超音波検査法、光音響断層撮影法、熱音響断層撮影法等が含まれるがこれらに限定されない。
【００１６】
例えば、光音響断層撮影法の場合、測定源は標的に送達される非イオン化レーザーパルスからなる。送達されるエネルギーのうちのいくらかは吸収され、熱に変換され、過渡的熱弾性膨張をもたらし、超音波が生成される。この超音波は、１つ又は複数の超音波振動子（センサー）を用いて検出することができる。上記超音波の大きさは、局所エネルギー蓄積に比例するので、標的エリアの３Ｄ画像を形成することができる。光音響断層撮影法を用いて、最大７ｃｍの奥行きでそのような皮下腫瘍の高分解能画像を生成することができる。マイクロ波又は無線周波数（ＲＦ）パルスを励起源として用いることによって更なる奥行きに到達することができる。上記事例において、上記の技術は熱音響断層撮影法と呼ばれる。
【００１７】
次に、本出願の第２の目的は、画像視覚化及びデータ出力を伴う、記録された信号の解析（例えば、３Ｄ立体視の場合の画像解析、又は光音響断層撮影法若しくは熱音響断層撮影法の場合の超音波解析）用のモジュールを有するソフトウェアパッケージの利用可能性である。このソフトウェアの決定パラメーターは、データ処理の速度及び自律性である。最終的に、本出願は、画像記録技術及びソフトウェアを、がんのｉｎ  ｖｉｖｏ動物モデル（例えばマウス）と適合性のある機構（デバイス）において統合するという１つの最後の目的を有する。このデバイスによって、オペレーターは、マウスにおける皮下腫瘍の大きさを効率的にかつ正確に測定することが可能になる。さらに、「皮下マウス腫瘍モデル」に対する研究プロセスにおけるデバイスの統合によって、１つのオペレーターによる同じ腫瘍の複数の測定値間の「相互変動性」が、様々なオペレーターによって測定された同じ腫瘍の複数の測定値間の「相互変動性」と同様に（現行のキャリパー法の変動性と比較して）減少することが確実になる。
【００１８】
上記で既に示したように、新たな監視、測定システムは、その目的のうちの１つにおいて、以下の理由で補助立体視（aided stereo-vision）に基づく（Konolige, K.「Projected texture stereo, Robotics and Automation (ICRA)」（2010 IEEE International Conference on; p.148-155））：
−投影システムに対する要件がより少ない。他の概念では、点はレーザー投影及び撮像器の幾何学に基づいて計算される。これは非常に慎重に較正されなくてはならず、しばらくの間安定性を保たなくてはならない。立体視の場合、カメラが較正され、測定される体積上に認識可能な標識点（例えば構造化ノイズパターン）が作成されれば十分である。
−測定を迅速に行うことが望まれるので、立体視は、正確な３Ｄ測定を行うのに１つの画像記録（左カメラ画像及び右カメラ画像）で十分であるという利点を与える。さらに、カメラ画像のうちの１つ（左カメラ画像は基準画像として用いることもできるので、左カメラ画像であることが好ましい）を履歴データとして記憶することができる。
−カメラのコストは、意図される正確度にとって問題でない。例えばスマートフォン、ラップトップ、玩具及び更にはガジェットに用いられるような２つの安価なカメラで十分である。２つのそのようなカメラは、高価なレンズを有する１つの効果なカメラよりも更に多くの情報を与える。
−上記の記述は、プロジェクター（本発明のこの３Ｄ立体視実施形態において用いられる測定源）にも適用可能である。高価なレーザーではなく、単純で、モジュール式で小型の静的プロジェクターで十分である。ピコビーマーにおいて現在用いられているＬＣＤ、ＤＬＰ又はＣＲＴ等のプロジェクター技術は本発明に同様に適している。測定は非常に短い距離で行われるので、必要とされる比較的大きな被写界深度において難点が生じる。特定の実行形態（本発明の実施形態）では、プロジェクターは、スライドプロジェクターの原理に基づき、高出力ＬＥＤ光源と、ゴボパターンディスク（パターンを用いてエッチングされた金属でカバーされたガラスディスク）と、コンデンサーとからなる小型プロジェクターである。
【００１９】
図２は、補助立体視の原理の概略図を示している。上記で示したように、測定機器は、この目的で２つのカメラ及びプロジェクターを有する。プロジェクターは、測定される物体上にパターン、好ましくは構造化ノイズパターンを投影する。
【００２０】
システムは、既知の物体の実際の測定値（特に、カメラから様々な角度及び様々な距離に位置決めすることができるドラフトパターン）に基づいて事前に較正されなくてはならない。このようにして、焦点距離、双方のカメラ間の回転及び平行移動行列、並びに透視変換行列等のカメラパラメーターが取り出される。実際の測定の場合、認識可能な測定点（特に構造化ノイズ）がプロジェクターを介して未知の物体上に投影され、それらの認識可能な測定点は、双方のカメラ記録において見つけることができる。これらの認識可能な測定点により、双方の画像における対応するブロックを取り出すことができる。左画像と右画像との間のそのようなブロックの（ピクセルにおける）シフトを、以前に決定した較正パラメーターにより、３Ｄエリア内の点に変換することができる。この方法によって、確実で高速な測定法が提供される。
【００２１】
実行形式
製品仕様／寸法
分解能
測定システムの発展は、変動する形状を有する物体の、体積及び面積を含む寸法の計算に広く用いることができるシステムに向けて進められている。この目的では、物体の細かい詳細を観察することができる必要がないため、分解能に関する要件は過度に詳細に指定する必要がない。本発明では、特にマウスにおける皮下腫瘍の測定において、腫瘍を可能な限り迅速に測定することが望まれる。ここでは体積及び形状の正確な測定値を有することが最も重要である。このため、点あたりの正確度も、０．５ｍｍ〜０．０１ｍｍの範囲をとり、特に約０．３ｍｍ〜０．１ｍｍの範囲をとり、より詳細には、カメラは理想的には点あたり０．０３ｍｍの分解能を有し、０．３ｍｍの奥行き分解能を達成することができる。
【００２２】
体積の測定及び測定値（幅、高さ、奥行き）
上記で既に示したように、本発明の測定システムは、１つ又は複数のセンサー（特に１つ又は２つのカメラ）とは別に、少なくとも１つの測定源（特にプロジェクター）と、測定される物体が取り囲まれることを確実にする交換可能な（取り外し可能な）測定チャンバーとを有するハンドヘルドデバイスを備えることを特徴とする。このため、この測定チャンバーの形状及び大きさに関する特定の制限も存在せず、皮下腫瘍の測定の特定の用途を鑑みて、これらの腫瘍の通常の形状及び寸法が測定チャンバーの内部寸法の寸法を決定するのに考慮に入れられる。第１の実行形態（実施形態）では、測定チャンバーは、最大で約１５０ｍｍの基本的な長さ及び幅、並びに最大で約２００ｍｍの高さを有し、特に約５０ｍｍの長さ及び幅、並びに約１００ｍｍの高さを有し、より詳細には、約３０ｍｍの高さ及び幅、並びに約５０ｍｍの高さを有し、より具体的には、約２２．５ｍｍの高さ及び幅、並びに約５０ｍｍの高さを有し、最も小型の形態では、約１５ｍｍの高さ及び幅、並びに約５０ｍｍの高さを有する。測定される物体の寸法の変動を鑑みて、測定チャンバーは交換可能又は取り外し可能であり、測定される物体の寸法に従って、別の測定チャンバーをハンドヘルドデバイスに搭載することができる。この実施形態では、測定チャンバーは、一方の側で、測定される物体の上に適合し、他方の側でハンドヘルドデバイスの側面ヘッドに適合する垂直面からなり、この他方の側では１つ又は２つのカメラ及びプロジェクターと適合する。特殊な実施形態では、測定チャンバーの内壁は、例えば測定チャンバーの１つ又は複数の内面上の水平にリブ形成された（ribbed）パネルにより、光反射がないようにレイアウトされる。本発明の更なる実施形態では、交換可能な（取り外し可能な）測定チャンバーの垂直面のうちの少なくとも１つが、測定される物体の上に位置決めされたときにチャンバー内を見ることを可能にする。この垂直面は、測定される物体の上に測定チャンバーをより良好に位置決めすることを可能にする。デバイスのオペレーターがチャンバー内を見ることを可能にする任意の考え得る適応形態が本発明の受入範囲内にある。例示的な実施形態では、交換可能な（取り外し可能な）測定チャンバーの垂直面のうちの少なくとも１つが透明であるか開放されている。
【００２３】
このため、本発明の一実施形態では、ハンドヘルドデバイスは、交換可能な測定チャンバーを含み、交換可能な測定チャンバーはハンドヘルドデバイスの測定ヘッドと連結するようにグリップを有することを更に特徴とする。これらは例えば、ねじ式連結部、差し込みロック、クリック固定（click confirmation）、磁気結合（magnetic fitting）等からなることができる。特殊な実施形態では、グリップは測定ヘッドと測定チャンバーとの間の磁気結合からなる。本発明で用いられるような交換可能なチャンバーは、基部において最大で約１５０ｍｍの寸法及び最大で約２００ｍｍの高さを有する。特殊な実施形態では、測定チャンバーは最大で約１５０ｍｍの正方形の基部の長さ及び幅、並びに最大で約２００ｍｍの高さを有し、特に、最大で約５０ｍｍの長さ及び幅、並びに最大で約１００ｍｍの高さを有し、より詳細には、最大で約３０ｍｍの長さ及び幅、並びに最大で約５０ｍｍの高さを有し、より具体的には、約２２．５ｍｍの長さ及び幅、並びに約５０ｍｍの高さを有し、その最も小型の形態では、約１５ｍｍの長さ及び幅、並びに約５０ｍｍの高さを有する。
【００２４】
更なる実施形態では、交換可能な測定チャンバーは、測定ヘッドと相互作用して、ハンドヘルドデバイスが当該測定チャンバーの寸法を認識し、測定パラメーター（照明時間、光感度等）を設定するのを可能にする、寸法に応じた認識点を有する。最も単純な形態では、この寸法に応じた認識点は、ハンドヘルドデバイスの測定ヘッドにわたって分散した接点素子（contact element）からなることができ、測定チャンバーの寸法に依拠して、交換可能な測定チャンバー上に存在する接点素子と独自に相互作用する。
【００２５】
別の重要な要素は、システムが小型化し、結果として、ｉｎ  ｖｉｖｏの研究室において非常に柔軟に用いることができる「ハンドヘルド」測定機器が得られることである。これにより、ユーザー利便性が特にデバイスの外部寸法の決定要因となり、形態及び寸法には特殊な制限がない。実際には、ハンドヘルドデバイスの重量を５００ｇ未満にしておくように努めることになる。
【００２６】
取得速度
取得速度は、記録システムの選択の決定パラメーターである。結局のところ、研究者の手の中でマウスが動かないようにされている場合であっても、腫瘍を可能な限り迅速に測定することが望まれる。これは依然として、生きている覚醒した動物に関し、測定中に完全に動かないようにすることは可能でない。この全てにより、取得速度が画像記録の品質の決定因子となっており、良好な画像記録がなければ信頼性のある解析を後に行うことも不可能である。２つのカメラを用いた３Ｄ立体視に基づく設定は、例えば既存の産業用ラインスキャナーに対していくつかの重要な利点を提供する。意図される設定を用いると、１つ又はいくつかの画像記録で十分であり、分解能に応じて、画像記録は数ミリ秒内に発生することができる。ラインスキャナーを用いる場合、複数の記録を行わなければならない。高速スキャナー（８０ｆｐｓ）を用いたとしても、これには１秒よりも長くかかる。この時間の間、物体は動くべきでないが、これは保証できない。
【００２７】
このため、本発明の更なる実施形態では、測定システムは、画像記録速度が１／１０秒未満であり、画像が１０秒以内に処理されることを特徴とする。
【００２８】
システム構造の説明
３Ｄ立体視に基づく３Ｄ測定デバイスの構造は、従来の仕様に基づいて編纂される（compiled）（図３を参照）。物体を測定する測定チャンバーを含むハンドヘルドデバイスの回りに全てが構築され、特に、腫瘍（Ｉ）の回りに位置決めすることができる。このデバイスとともに、３０×３０×５０ｍｍ、２２．５×２２．５×５０ｍｍ及び１５×１５×５０ｍｍ（Ｌ×Ｂ×Ｈ）の寸法を有する容易に交換可能な３つの異なる測定チャンバーを用いる。測定チャンバーの上に、ハンドヘルドデバイスの測定ヘッドの一部として、立体視用の二重カメラ機構（すなわちセンサー）（ＩＩ）、好ましくはスマートフォン、ラップトップ、玩具及び更にはガジェットに用いることができる小型の安価なカメラが見られる。５０ｍｍの距離及び十分な被写界深度で鮮明な画像を得るようにカスタムレンズを用いることもできる。カメラに隣接して、ハンドヘルドデバイスの測定ヘッドの一部として、標的となる物体上に認識可能な測定点（例えば構造化ノイズパターン）を投影するカスタム投影システム（すなわち測定源）（ＩＩＩ）も見られる。これは、立体マッチングアルゴリズムの正確度を改善し、測定チャンバーを標的上に物理的に位置決めするのに役立つ。投影パターンは、ハミングコードに基づくノイズパターンであり、マウスの皮膚の反射及び吸収スペクトルに起因して最適な品質を得るように緑色であることが好ましい。これに加えて、ハンドヘルドデバイスは、データを取得し、オプションで事前にデータを処理するプロセッサも有する。プロセッサは、ユーザーインターフェースも操作する。このユーザーインターフェースは、１つ又は複数の入力デバイス（特に、ハンドヘルドデバイスのハンドルに含まれるプッシュボタン）と、ユーザーに、電力ステータス、基地局との接続／通信ステータス、データ取得ステータス、メモリステータス等のハンドヘルド（測定）デバイスのステータスを通知する１つ又は複数の出力デバイス（特に１つ又は複数の光信号、画像信号及び／又はノイズ信号）とを備える。
【００２９】
内蔵型カメラにより画像を記録するために、プロセッサはハンドヘルドデバイスのハンドルにおけるプッシュボタンのアクティブ化後にデータ取得に対しアクティブ化される。画像はプロセッサによって記録され、インストールされたＲＡＭメモリ内に保存される。次に、これらの未加工画像はオプションの最初のデータ処理（画像の調整、画像のタグ付け、ステレオ計算、画像の視覚制御等）を受け、基地局に無線で又は任意の他の方法で送信される。標準的なモジュールが用いられることが好ましい。このとき、本発明の目的のうちの１つは、ハンドヘルドデバイスがプロセッサモジュールと、ユーザーインターフェースと、電源と、データ通信インターフェースとを有する測定システムも提供することである。第１の実施形態では、上記の測定方法を実行するために、ハンドヘルドデバイス内のプロセッサモジュールは、ユーザーインターフェース、画像記録、投影、電源、及び通信インターフェースのアプリケーションコードを含む。
【００３０】
基地局（図４を参照されたい）は、標準的なパネルＰＣに基づいている。パネルＰＣは、ハンドデバイスからの画像を更に処理して測定物体の体積に組み込むのに必要なソフトウェアを有する。この目的で、ステレオ画像は３Ｄ点群に変換され、ノイズがフィルタリング除去され、点群が三角測量され、腫瘍が（半）自動的に分割される。立体視アルゴリズム、構造化ノイズ生成器、及び三角測量のライブラリは、オープンソース、例えばＲＯＳアプリケーションパッケージ（Konolige,K.「Projected texture stereo, Robotics and Automation(ICRA)」（2010 IEEE International Conference on;p.148-155））の一部としてのオープンＣＶ（オープンソースコンピュータービジョン）として入手可能である。三角測量の可能なライブラリは、ＱＨｕｌｌ、点群ライブラリ（ＰＣＬ）等である。
【００３１】
基地局の機能は、ケージ及びマウスの自動選択、メタデータ、例えばマウスの重量の自動入力、並びにデータ履歴の閲覧により、必要に応じて構成することができる。これにはサーバーとの接続が推奨されるため、全てのデータが中央データベースに記憶される。
【００３２】
管理ＰＣにより、実験、ケージ及びマウスを制御することができる。測定値は見直すこともでき、報告を生成することができる。
【００３３】
本発明の目的のうちの１つは、様々な形態の物体の、体積を含む寸法の測定に特に適した測定システムを提供することであり、この測定システムは、
−測定チャンバーと、少なくとも１つのカメラと、１つのプロジェクターとを有するハンドヘルドデバイスであって、プロジェクターは測定される物体上に認識可能な標識を投影し、カメラは測定される物体の１つ又は複数の画像を捕捉し、これを第１の処理後に基地局に送信する、ハンドヘルドデバイスと、
−タッチスクリーン、キーボード及び／又はポインターデバイス等のユーザーインターフェースと、ハンドヘルドデバイスからの画像を更に処理して測定物体の体積内に組み込むのに必要なソフトウェアと、スクリーン等の出力デバイスと、オプションで基地局に対するハンドヘルドデバイスのドッキングステーション及び装填ステーションとを有する基地局と、
を備える。
【００３４】
上述した測定システムでは、基地局は、ＩＥＥＥ１３９４、ＵＳＢ、ＩＥＥＥ１２８４、Ｂｌｕｅｔｏｏｔｈ登録商標、ＩＥＥＥ８０２．１１ｎ、ＷｉＭｅｄｉａＵＷＢ、ＳＣＳＩ及びイーサネット登録商標等の追加の通信ポートも有し、それにより、例えば温度センサーを介して環境パラメーター、電子天秤を介してマウスの重量、例えばＲＦＩＤチップ又はバーコードスキャナーを介して自動ケージ選択等のメタデータ入力と、例えば遠隔サーバー上で入手可能なデータ履歴とを受信し、他方で、生成されたデータを遠隔サーバー及び／又は管理ＰＣに送信することができる。
【００３５】
本発明の更なる実施形態では、ハンドヘルドデバイス及び基地局の機能は１つの単一デバイス内に統合される。このため、本発明の更なる目的のうちの１つは、様々な形状の物体の、体積を含む寸法の測定に特に適した測定システムを提供することであり、この測定システムは、
−本明細書において説明したような、測定チャンバーと、少なくとも１つのカメラと、プロジェクターと、プロセッサモジュールと、ユーザーインターフェースと、電源と、データ通信インターフェースとを有するハンドヘルドデバイスであって、プロセッサモジュールは、ユーザーインターフェース、画像記録、投影、電源、通信インターフェースのアプリケーションコードに加えて、画像処理のアプリケーションコードも有する、ハンドヘルドデバイス、
を備える。
【００３６】
オプションで、この更なる実施形態は、ＩＥＥＥ１３９４、ＵＳＢ、ＩＥＥＥ１２８４、Ｂｌｕｅｔｏｏｔｈ、ＩＥＥＥ８０２．１１ｎ、ＷｉＭｅｄｉａＵＷＢ、ＳＣＳＩ及びイーサネット等の追加の通信ポートも有し、それにより、例えば温度センサーを介して環境パラメーター、電子天秤を介してマウスの重量、例えばＲＦＩＤチップ又はバーコードスキャナーを介して自動ケージ選択等のメタデータ入力と、例えば遠隔サーバー上で入手可能なデータ履歴とを受信し、他方で、生成されたデータを遠隔サーバー及び／又は管理ＰＣに送信することができる。
【図１】
0006042872.tif 000002
【図２】
0006042872.tif 000003
【図３】
0006042872.tif 000004
【図４】
0006042872.tif 000005